(57)【要約】【課題】ダイバーシチ送信されたパイロットチャネルとダイバーシチ送信されないパイロットチャネルとを移動局装置が同時に受信する場合のフィンガ割り当て処理を容易に実現することができる無線受信装置を提供する。【解決手段】無線受信部１１２がダイバーシチ送信されたパイロットチャネルとダイバーシチ送信されないパイロットチャネルを同時に受信する。同相加算手段１０４が基地局装置のダイバーシチ送信の有無に関わらずアンテナ分離による同相加算を行う。遅延プロファイル生成手段１０５が同相加算手段１０４からの出力信号より遅延プロファイルを作成する。選択部１０２が、ダイバーシチ送信された基地局装置の遅延プロファイルとダイバーシチ送信されない基地局装置の遅延プロファイルを補正処理なしで比較してパスを選択する。これにより無線受信装置におけるフィンガ割り当て処理を容易に実現する。【選択図】図１
2007110644.tif 000002
【特許請求の範囲】
【請求項１】
複数の基地局装置からの信号を受信する無線受信装置であって、
送信ダイバーシチを行う基地局装置と送信ダイバーシチを行わない基地局装置とが混在するとき、これらの基地局装置の送信ダイバーシチの有無に関わらずアンテナ分離による同相加算を行う同相加算手段と、
前記同相加算手段の出力信号から遅延プロファイルを生成する遅延プロファイル生成手段と、
前記プロファイル生成手段の出力信号に基づいてパスを選択する選択手段と、
を備えることを特徴とする無線受信装置。
【請求項２】
請求項１に記載の無線受信装置を備えることを特徴とする通信端末。
【請求項３】
複数の基地局装置からの信号を受信する移動局装置による無線受信方法であって、
送信ダイバーシチを行う基地局装置と送信ダイバーシチを行わない基地局装置とが混在するときに、これらの基地局装置の送信ダイバーシチの有無に関わらずアンテナ分離による同相加算を行う手順と、
同相加算を行った結果に基づいて遅延プロファイルを生成する手順と、
生成された遅延プロファイルに基づいてパスを選択する手順と、
を含むことを特徴とする移動局装置による無線受信方法。
【請求項４】
複数の基地局装置からの信号を受信する移動局装置による無線受信方法をコンピュータに実行させるプログラムであって、
送信ダイバーシチを行う基地局装置と送信ダイバーシチを行わない基地局装置とが混在するときに、これらの基地局装置の送信ダイバーシチの有無に関わらずアンテナ分離による同相加算を行う手順と、
同相加算を行った結果に基づいて遅延プロファイルを生成する手順と、
生成された遅延プロファイルに基づいてパスを選択する手順と、
をコンピュータに実行させるプログラム。
【発明の詳細な説明】
【技術分野】
【０００１】
本発明は、ＣＤＭＡ(Code Division Multiple Access：符号分割多元接続)通信システムにおける移動体端末などの無線受信装置などに関し、特に、基地局装置が複数アンテナを用いて送信ダイバーシチを実現する無線受信装置、通信端末、無線受信方法、及びこの無線受信方法をコンピュータに実行させるプログラムに関する。
【背景技術】
【０００２】
従来より、移動体通信システムにおいては、基地局装置から複数のアンテナで送信することによって、移動局装置の受信特性を向上させる送信ダイバーシチが行われることがある。図３は、従来から一般的に行われている送信ダイバーシチによる移動体通信システムの概念図である。つまり、この図は、基地局装置１が２本のアンテナ１ａ、１ｂを使用した送信ダイバーシチによって移動局装置２のアンテナ２ａへパイロットシンボルを送信している様子を示す図である。また、下記の非特許文献１による移動体通信規格によって基地局装置１の各アンテナ１ａ、１ｂから送信されるパイロットシンボルの送信パターンが定められている。図４は、非特許文献１の移動体通信規格３ＧＰＰ  ＴＳ２５．２１１  Ｖｅｒｓｉｏｎ３．１１．０によって定められるパイロットシンボルの送信パターンを示す図である。
【０００３】
図４の上段の配列に示すように、図３に示す基地局装置１はアンテナ１ａから常にパイロットシンボル＋Ａを移動局装置２へ送信している。このとき、アンテナ１ａから送信されるパイロットシンボルは、図３に示すように、伝搬係数α1の第１伝搬路を介して移動局装置２のアンテナ２ａへ送信される。また、基地局装置１のアンテナ１ｂからは、図４の下段の配列に示すような送信パターンに従ってパイロットシンボル＋Ａとパイロットシンボル−Ａとが移動局装置２へ送信される。アンテナ１ｂから送信されるパイロットシンボルは、図３に示すように、伝搬係数α2の第２伝搬路を介して移動局装置２のアンテナ２ａへ送信される。そして、移動局装置２は、アンテナ１ａから送信されたパイロットシンボルとアンテナ１ｂから送信されたパイロットシンボルとを含むパイロットチャネル信号を所定の方法によって加算する。これによって、移動局装置２においては、パイロットシンボルに関してダイバーシチ利得分だけ受信特性を向上させることができる。また、移動局装置２は、このパイロットシンボルから作成した遅延プロイファイルを用いて、個別通信チャネル信号に対してフィンガの割り当てを行うので、個別通信チャネル信号についての受信特性を向上させることができる。
【０００４】
また、基地局装置１よりダイバーシチ送信されたパイロットチャネル信号においては、移動局装置２においてアンテナ１ａ、アンテナ１ｂの信号を分離して同相加算処理を行うことによって受信特性をさらに向上させることができる（例えば、特許文献１参照）。
【０００５】
ところで、非特許文献１では、移動局装置が複数の基地局装置と通信を行うソフトハンドオーバ状態にある場合は、ダイバーシチ送信を行う基地局装置とダイバーシチ送信を行わない基地局装置が混在する状況を許可しているため、ダイバーシチ送信されたパイロットチャネルとダイバーシチ送信されないパイロットチャネルを移動局装置が同時に受信することがある。このような状況下においては、移動局装置はダイバーシチ送信を行っている基地局装置の信号に加えて、ダイバーシチ送信を行っていない基地局装置の信号も受信することになる。
【０００６】
図５は、従来から一般的に行われている送信ダイバーシチの有無が混在する移動体通信システムの概念図である。すなわち、この図は、移動局装置２が、２本のアンテナを使用して送信ダイバーシチを行う基地局装置１からの共通パイロットシンボルと、１本のアンテナを使用して送信ダイバーシチを行わない基地局装置３からの共通パイロットシンボルとを同時に受信している様子を示している。このとき、送信ダイバーシチを行う基地局装置１は、図４の上段に示すような送信パターンに従ってアンテナ１ａからパイロットシンボル＋Ａを移動局装置２へ送信している。なお、アンテナ１ａから送信されるパイロットシンボルは、伝搬係数α1の第１伝搬路１を介して移動局装置２へ送信される。また、送信ダイバーシチを行う基地局装置１は、図４の下段に示すような送信パターンに従ってアンテナ１ｂからパイロットシンボル＋Ａとパイロットシンボル−Ａとを移動局装置２へ送信する。このとき、アンテナ１ｂから送信されたパイロットシンボルは、伝搬係数α2の第２伝搬路を介して移動局装置２へ送信される。一方、ダイバーシチ送信を行っていない基地局装置３は、アンテナ３ａから図４の上段に示すような送信パターンに従ってパイロットシンボル＋Ａを移動局装置２へ送信する。このとき、アンテナ３ａから送信されるパイロットシンボルは、伝搬係数α３の第３伝搬路３を介して移動局装置２へ送信される。
【０００７】
ここで、各基地局装置１、３がダイバーシチ送信を行っているか否かの情報は、受信信号内に含まれる制御情報として移動局装置２に通知される。このとき、移動局装置２に搭載される従来のフィンガ割り当て装置（図示せず）は、この報知情報に基づいて同相加算方法を選択し、選択された同相加算の結果から作成された遅延プロファイルを個別通信チャネル信号に対するフィンガ割り当てに使用している。
【０００８】
以下、従来の無線受信装置（例えば、移動局装置）におけるフィンガ割り当て装置について図面を用いて説明する。図６は、従来の無線受信装置の構成を示すブロック図である。つまり、この図は、従来の移動局装置に搭載されたフィンガ割り当て装置の概略的な構成を示している。図５に示す基地局装置１のアンテナ１ａから送信されたパイロットシンボルとアンテナ１ｂから送信されたパイロットシンボル、及び基地局装置３のアンテナ３ａから送信されたパイロットシンボルを含むパイロットチャネル信号が、アンテナ２ａを介して移動局装置２によって受信される。
【０００９】
すなわち、図５の移動局装置２を図６の無線受信装置に置き換えれば、各基地局装置からのパイロットチャネル信号がアンテナ１１を介して無線受信部１２により受信される。パイロットチャネル信号は、無線受信部１２によって所定の無線処理（例えば、ダウンコンバート及びＡ／Ｄ変換等の処理）が施され、さらに、逆拡散部１３、初期同期部１４、及びフィンガ割り当て装置１０の第１のプロファイル生成部１５と第２のプロファイル生成部１６へ出力される。
【００１０】
初期同期部１４は、図示しない各基地局装置（つまり、図５の基地局装置１及び基地局装置３）の拡散コードを同定して制御部１７へ出力する。制御部１７は、受信信号からの報知情報に基づいて、送信ダイバーシチを行っていない基地局装置（つまり、図５の基地局装置３）の拡散コードを第１のプロファイル生成部１５へ設定し、送信ダイバーシチを行っている基地局装置（つまり、図５の基地局装置１）の拡散コードを第２のプロファイル生成部１６へ設定する。
【００１１】
第１のプロファイル生成部１５は、パイロットチャネル信号に対して逆拡散処理、アンテナ分離を行わない同相加算処理、及び平均化処理を行い、平均化された遅延プロファイルを生成する。また、第１のプロファイル生成部１５は平均化された遅延プロファイルを第１の選択部１８へ出力する。第１の選択部１８は、第１のプロファイル生成部１５から入力された平均化された遅延プロファイル上の各フィンガの電力値と第１のしきい値１９とを比較することによって有効なフィンガを選択し、選択されたフィンガの位置と情報を第３の選択部２０へ出力する。
【００１２】
また、第２のプロファイル生成部１６は、パイロットチャネル信号に対して逆拡散処理、アンテナ分離を行う同相加算処理、及び平均化処理を行い、平均化された遅延プロファイルを生成する。また、第２のプロファイル生成部１６は平均化された遅延プロファイルを第２の選択部２１へ出力する。第２の選択部２１は、第２のプロファイル生成部１６から入力された平均化された遅延プロファイル上の各フィンガの電力値と第２のしきい値２２とを比較することによって有効なフィンガを選択し、選択されたフィンガの電力値と位置を第３の選択部２０へ出力する。
【００１３】
第３の選択部２０は、第１の選択部１８及び第２の選択部２１から入力された遅延プロファイル上の各フィンガの電力値を比較することによって有効なフィンガを選択し、選択されたフィンガの位置を示す信号を逆拡散部１３へ出力する。そして、逆拡散部１３は、第３の選択部２０によって指定されたタイミングに従って、無線受信部１２で所定の無線処理を施された個別通信チャネル信号に対して逆拡散処理を行う。逆拡散された個別通信チャネル信号は、復調部２３で所定の復調処理を施されて受信データが得られ、受信信号として出力される。
【００１４】
ところで、前述の特許文献１により、第１のプロファイル生成部１５で算出される平均化された遅延プロファイルは、次の式（１）で与えられる。
【数１】
2007110644.tif 000003
【００１５】
ここで、Ｔｓは１シンボル時間、２ｎは同相加算回数、σ2は伝搬路によって加算される雑音を示す。
【００１６】
また、第２のプロファイル生成部１６で算出される平均化された遅延プロファイルは次の式（２）で与えられる。
【数２】
2007110644.tif 000004
【００１７】
上記の式（１）及び式（２）に示すように、アンテナ分離を行う側の第２のプロファイル生成部１６で算出される平均化された遅延プロファイルは、アンテナ分離を行わない側の第１のプロファイル生成部１５で算出される平均化された遅延プロファイルと比較して雑音成分が多く含まれているため、単純な比較によって逆拡散部１３に設定するフィンガを選択することはできない。つまり、雑音成分は、上記の式（１）では第２項のように2nσ２であるが、上記の式（２）では第２項が4nσ２というように大きくなっているので単純比較はできない。
【００１８】
そこで、第１のプロファイル生成部１５で作成された平均化された遅延プロファイルと、第２のプロファイル生成部１６で作成された平均化された遅延プロファイルとを容易に比較できるように、第３の選択部２０の補正処理部２４が、第２のプロファイル生成部１６で算出された平均化された遅延プロファイルに対して補正処理を行って有効なフィンガを選択する。
【特許文献１】特開２００１−３１３５９２号公報
【非特許文献１】３ＧＰＰ  ＴＳ２５．２１１  Ｖｅｒｓｉｏｎ３.１１.０
【発明の開示】
【発明が解決しようとする課題】
【００１９】
しかしながら、ダイバーシチ送信されたパイロットチャネルとダイバーシチ送信されないパイロットチャネルを無線受信装置（移動局装置）が同時に受信する場合、無線受信装置に搭載される従来のフィンガ割り当て装置は、ダイバーシチ送信の有無による２つの選択処理、及びダイバーシチ送信が行われた遅延プロファイルに対する補正処理を行うためにフィンガ割り当て処理が複雑になってしまう。また、ダイバーシチ送信の有無による２つの選択処理で用いるしきい値、及びダイバーシチ送信が行われた遅延プロファイルに対する補正処理で用いる補正値が必要となるため、受信時の調整が複雑になるなど使い勝手がよくない。
【００２０】
本発明は、かかる点に鑑みてなされたものであり、ダイバーシチ送信されたパイロットチャネルとダイバーシチ送信されないパイロットチャネルとを移動局装置が同時に受信する場合のフィンガ割り当て処理を容易に実現できるような無線受信装置を提供することを目的とする。
【課題を解決するための手段】
【００２１】
本発明の無線受信装置は、複数の基地局装置からの信号を受信する無線受信装置であって、送信ダイバーシチを行う基地局装置と送信ダイバーシチを行わない基地局装置とが混在するとき、これらの基地局装置の送信ダイバーシチの有無に関わらずアンテナ分離による同相加算を行う同相加算手段と、同相加算手段の出力信号から遅延プロファイルを生成する遅延プロファイル生成手段と、プロファイル生成手段の出力信号に基づいてパスを選択する選択手段とを備える構成を採っている。
【００２２】
また、本発明は移動局装置による無線受信方法を提供することもできる。すなわち、本発明の無線受信方法は、複数の基地局装置からの信号を受信する移動局装置による無線受信方法であって、送信ダイバーシチを行う基地局装置と送信ダイバーシチを行わない基地局装置とが混在するときに、これらの基地局装置の送信ダイバーシチの有無に関わらずアンテナ分離による同相加算を行う手順と、同相加算を行った結果に基づいて遅延プロファイルを生成する手順と、生成された遅延プロファイルに基づいてパスを選択する手順とを含んでいる。
【発明の効果】
【００２３】
本発明の無線受信装置によれば、送信ダイバーシチを行う基地局装置からダイバーシチ送信されたパイロットチャネルと送信ダイバーシチを行わない基地局装置からダイバーシチ送信されないパイロットチャネルとを同時に受信した場合でも、フィンガ割り当て処理を容易に実現することができる。
【発明を実施するための最良の形態】
【００２４】
〈発明の概要〉
本発明の無線受信装置は、ダイバーシチ送信されたパイロットチャネルとダイバーシチ送信されないパイロットチャネルを同時に受信する場合において、ダイバーシチ送信の有無に関わらずアンテナ分離による同相加算方法を用いて遅延プロファイルを作成する。そして、ダイバーシチ送信された基地局装置の遅延プロファイルとダイバーシチ送信されない基地局装置の遅延プロファイルとを補正処理なしで比較することができるように構成されている。これによって、無線受信装置におけるフィンガ割り当て処理を容易に実現することができる。
【００２５】
〈実施の形態１〉
以下、図面を参照しながら、本発明における無線受信装置の実施の形態について詳細に説明する。図１は、本発明の一実施の形態に係る無線受信装置の構成を示すブロック図である。つまり、この図は、本発明の無線受信装置に搭載されたフィンガ割り当て装置の概略的な構成を示している。
【００２６】
図１において、無線受信装置は、図示しない基地局装置から無線電波を受信するアンテナ１１１と、アンテナ１１１を介して基地局装置からのパイロットチャネル信号を受信してダウンコンバート及びＡ／Ｄ変換などの無線処理を行う無線受信部１１２と、無線受信部１１２で所定の無線処理が施された個別通信チャネル信号に対して逆拡散処理を行う逆拡散部１１３と、基地局装置の拡散コードを同定する初期同期部１１４と、逆拡散された個別通信チャネル信号に対して復調処理を行う復調部１１５と、遅延プロファイル上の各フィンガの電力値を比較することによって有効なフィンガを選択し、選択されたフィンガの位置を示す信号を逆拡散部１１３へ出力するフィンガ割り当て装置１００とを備えた構成となっている。
【００２７】
また、フィンガ割り当て装置１００は、逆拡散処理、同相加算処理、及び平均化処理を行って遅延プロファイルを生成するプロファイル生成部１０１と、プロファイル生成部１０１の出力信号と所定のしきい値１０３とを比較してパスを選択する選択部（選択手段）１０２とによって構成されている。なお、プロファイル生成部１０１は、送信ダイバーシチを行う基地局装置と送信ダイバーシチを行わない基地局装置とが混在する場合に、それらの基地局装置の送信ダイバーシチの有無によらずアンテナ分離による同相加算を行う同相加算手段１０４と、同相加算手段１０４の出力から遅延プロファイルを生成する遅延プロファイル生成手段１０５とを備えた構成となっている。
【００２８】
次に、図１に示す無線受信装置の動作について説明する。例えば、前述の図５において、基地局装置１のアンテナ１ａから送信されたパイロットシンボルとアンテナ１ｂから送信されたパイロットシンボル、及び基地局装置３のアンテナ３ａから送信されたパイロットシンボルを含むパイロットチャネル信号が、図１の無線受信装置のアンテナ１１１を介して無線受信部１１２によって受信される。そして、パイロットチャネル信号は、無線受信部１１２によってダウンコンバートやＡ／Ｄ変換などの所定の無線処理が施され、逆拡散部１１３、初期同期部１１４、及びフィンガ割り当て装置１００のプロファイル生成部１０１へ出力される。
【００２９】
初期同期部１１４は、送信ダイバーシチを行う基地局装置と送信ダイバーシチを行わない基地局装置とが混在する複数の基地局装置の拡散コードを同定し、これらの拡散コードを基地局装置ごとにプロファイル生成部１０１に設定する。そして、プロファイル生成部１０１は、同相加算手段１０４によって、逆拡散処理、同相加算処理、及び平均化処理などの各種の処理を行い、遅延プロファイル生成手段１０５によって平均化された遅延プロファイルを生成する。
【００３０】
このとき、プロファイル生成部１０１の同相加算手段１０４は、ダイバーシチ送信を行う基地局装置からのパイロットチャネル信号、及びダイバーシチ送信を行わない基地局装置からのパイロットチャネル信号の如何によらず、アンテナ分離を行う同相加算処理を行う。また、プロファイル生成部１０１の遅延プロファイル生成手段１０５は、平均化された遅延プロファイルを選択部１０２へ出力する。
【００３１】
選択部１０２は、各プロファイル生成部１０１から入力された平均化された遅延プロファイル上の各フィンガの電力値としきい値１０３を比較することによって有効なフィンガを選択し、選択されたフィンガの位置と情報を逆拡散部１１３へ出力する。そして、逆拡散部１１３は、選択部１０２によって指定されたタイミングに従って、無線受信部１１２で所定の無線処理を施された個別通信チャネル信号に対して逆拡散処理を行う。逆拡散された個別の通信チャネル信号は復調部１１５で所定の復調処理が施される。これによって、復調部１１５より所望の受信データが得られる。
【００３２】
次に、フィンガ割り当て装置１００の選択部１０２において、送信ダイバーシチが行われている基地局装置の平均化された遅延プロファイルと、送信ダイバーシチが行われていない基地局装置の平均化された遅延プロファイルとが、単純比較できる原理について説明する。
【００３３】
プロファイル生成部１０１で算出されるダイバーシチ送信が行われている基地局装置の平均化された遅延プロファイルは、前述の式（２）と同じ式で与えられる。
【００３４】
一方、ダイバーシチ送信が行われていない基地局装置の平均化された遅延プロファイルは、その基地局装置に仮想アンテナを追加することによって送信ダイバーシチを行う基地局装置と同等に扱うことができる。図２は、本発明の無線受信装置を実現するためにダイバーシチ送信が行われていない基地局装置に仮想アンテナを設置した概念図である。すなわち、図２は、基地局装置２０１が１本の実アンテナ２０１ａ及び１本の仮想アンテナ２０１ｂを使用した送信ダイバーシチによって移動局装置へ共通パイロットシンボルを送信する様子を示している。
【００３５】
つまり、図２に示すように、ダイバーシチ送信が行われていない基地局装置２０１のパイロットチャネル信号について、アンテナ分離を行う同相加算処理によって加算処理を行う場合は、平均化された遅延プロファイルについてはその基地局装置２０１に対して実アンテナ２０１ａ以外に仮想アンテナ２０１ｂを追加する。これによって、送信ダイバーシチを行わない基地局装置２０１の仮想アンテナ２０１ｂは、前述の図４の下段のアンテナ１ｂに示すような送信パターンに従って、パイロットシンボル＋Ａとパイロットシンボル−Ａとを移動局装置２０２のアンテナ２０２ａへ送信する。このようにして、ダイバーシチ送信が行われていない基地局装置２０１に仮想アンテナ２０１ｂを追加することによって、送信ダイバーシチを行う基地局装置と同等に扱うことができる。
【００３６】
図２において、実アンテナ２０１ａから送信されたパイロットシンボルが、伝搬係数α３の実伝搬路を介して移動局装置２０２へ送信され、仮想アンテナ２０１ｂから送信されたパイロットシンボルが、伝搬係数α４の仮想伝搬路を介して移動局装置２０２へ送信される場合、送信ダイバーシチが行われていない基地局装置２０１のパイロットチャネル信号をアンテナ分離を行う同相加算処理で処理した場合は、平均化された遅延プロファイルは、次の式（３）で与えられる。
【数３】
2007110644.tif 000005
【００３７】
ここで、送信ダイバーシチを行わない基地局装置２０１は、仮想アンテナ２０１ｂからの信号を実際には送信していないため、移動局装置２０２では仮想アンテナ２０１ｂからの信号を受信できないため、伝搬係数α４は０となる。したがって、上記の式（３）は式（４）となる。
【数４】
2007110644.tif 000006
【００３８】
上記の式（４）で示したように、図１のプロファイル生成部１０１で算出された平均化された遅延プロファイルの電力値を決定するのは第１項の信号成分のみとなり、第２項の雑音成分4nσ２は従来と同じである。したがって、ダイバーシチ送信を行うパイロットチャネル信号の遅延プロファイルとダイバーシチ送信を行わないパイロットチャネル信号の遅延プロファイルとを単純に比較することにより、受信に最適なフィンガを割り当てることができる。
【００３９】
以上説明したように、図１に示す本発明の無線受信装置によれば、無線受信部１１２がダイバーシチ送信されたパイロットチャネルとダイバーシチ送信されないパイロットチャネルを同時に受信する。そして、プロファイル生成部１０１の同相加算手段１０４が、基地局装置のダイバーシチ送信の有無に関わらずアンテナ分離による同相加算を行う。さらに、遅延プロファイル生成手段１０５が、同相加算手段１０４からの出力信号より遅延プロファイルを作成する。そして、選択部１０２が、ダイバーシチ送信された基地局装置の遅延プロファイルとダイバーシチ送信されない基地局装置の遅延プロファイルを補正処理なしで比較してパスを選択する。これによって、無線受信装置におけるフィンガ割り当て処理を容易に実現することができる。
【００４０】
つまり、本発明の無線受信装置によれば、制御情報に基づいてプロファイル生成部１０１の同相加算方法を選択する処理、プロファイル生成部１０１の同相加算方法に基づいて別々のしきい値でフィンガを選択する処理、及びアンテナ分離を行う同相加算方法で算出された遅延プロファイルに対して補正を行う処理は不要となり、ダイバーシチ送信されたパイロットチャネルとダイバーシチ送信されないパイロットチャネルを移動局装置が同時に受信する場合のフィンガ割り当て処理を容易に実現することができる。
【００４１】
なお、上記の実施の形態は、複数の基地局装置からの信号を受信する移動局装置であって、ダイバーシチ送信を行う基地局装置とダイバーシチ送信を行わない基地局装置の有無に関わらず、アンテナ分離を行う同相加算方法を使用して遅延プロファイルを作成する無線受信装置について述べた。しかし、制御情報によってダイバーシチ送信を行う基地局装置がない場合は、アンテナ分離を行わない同相加算方法を使用して遅延プロファイルを作成し、制御情報によりダイバーシチ送信を行う基地局が少なくともひとつ以上ある場合は、アンテナ分離を行う同相加算方法を使用して遅延プロファイルを作成するように構成してもよい。なお、上記の実施の形態は本発明の具体的説明を目的とするものであり、本発明の内容を制限するものではない。
【産業上の利用可能性】
【００４２】
本発明の無線受信装置は、送信ダイバーシチを行う基地局装置からの信号と送信ダイバーシチを行わない基地局装置からの信号を同時に受信する場合のフィンガ割り当て処理を容易に実現することができるため、装置規模の縮小効果及び消費電力の削減効果を有しているので、汎用性のある移動体端末等の無線受信装置として有効に利用することができる。
【図面の簡単な説明】
【００４３】
【図１】本発明の一実施の形態に係る無線受信装置の構成を示すブロック図
【図２】本発明の無線受信装置を実現するためにダイバーシチ送信が行われていない基地局装置に仮想アンテナを設置した概念図
【図３】従来から一般的に行われている送信ダイバーシチによる移動体通信システムの概念図
【図４】移動体通信規格３ＧＰＰ  ＴＳ２５．２１１  Ｖｅｒｓｉｏｎ３．１１．０によって定められるパイロットシンボルパターンを示す図
【図５】従来から一般的に行われている送信ダイバーシチの有無が混在する移動体通信システムの概念図
【図６】従来の無線受信装置の構成を示すブロック図
【符号の説明】
【００４４】
１００  フィンガ割り当て装置
１０１  プロファイル生成部
１０２  選択部（選択手段）
１０３  しきい値
１０４  同相加算手段
１０５  遅延プロファイル生成手段
１１１  アンテナ
１１２  無線受信部
１１３  逆拡散部
１１４  初期同期部
１１５  復調部
２０１  基地局装置
２０１ａ  実アンテナ
２０１ｂ  仮想アンテナ
２０２  移動局装置
２０２ａ  アンテナ
【図１】
2007110644.tif 000007
【図２】
2007110644.tif 000008
【図３】
2007110644.tif 000009
【図４】
2007110644.tif 000010
【図５】
2007110644.tif 000011
【図６】
2007110644.tif 000012